(57)【要約】      （修正有）【課題】安全性を高め、エネルギー効率や省エネルギー性の向上を図ったサウナ装置を提供する。【解決手段】サウナ装置１０は、ケーシング本体１１と、ケーシング本体１１の内部を加熱する加熱体１２と、ケーシング本体１１の外側において回動可能な開閉扉１４と、ケーシング本体１１内に人間が存在する間は加熱体１２の電源をオフ状態に保持するための安全装置１５とを備え、安全装置１５は、ケーシング本体１１側に抜脱可能に設けられる左右一対の作動部材４２，４３と、開閉扉１４を横断して両作動部材４２，４３を連結する線状部材４４と、作動部材４２，４３への当接時に加熱体１２の電源をオン状態に保持すると共に作動部材４２，４３への非当接時に加熱体１２の電源をオフ状態に保持するリミットスイッチとを備える。【選択図】図１
0003144273.tif 000002
【実用新案登録請求の範囲】
【請求項１】
内部に１人の人間が横たわることのできる程度の大きさの空間を備えた横長カプセル状のケーシング本体と、
該ケーシング本体の内部を加熱する加熱体と、
前記ケーシング本体に開口された出入口を開閉可能なように該ケーシング本体の外側において回動可能な開閉扉と、
前記ケーシング本体内に人間が存在する間は前記加熱体の電源をオフ状態に保持するための安全装置と、
を備え、該安全装置は、
前記開閉扉の左右両側の前記ケーシング本体側に抜脱可能に設けられる左右一対の作動部材と、
前記開閉扉を横断して前記両作動部材を連結する線状部材と、
前記作動部材への当接時に前記加熱体の電源をオン状態に保持すると共に前記作動部材への非当接時に前記加熱体の電源をオフ状態に保持するリミットスイッチと、
を備え、
前記開閉扉の開放時に該開閉扉が前記線状部材に接触することにより前記各作動部材のうちの少なくとも一方の作動部材が前記ケーシング本体側より抜脱し、前記リミットスイッチが前記加熱体の電源をオフ状態に保持することを特徴とするサウナ装置。
【請求項２】
一端が前記開閉扉に設けられると共に他端が前記出入口の周囲の扉枠に設けられる板バネから成る開閉補助部材を備えており、該開閉補助部材は、前記開閉扉により前記出入口が閉鎖された時に屈曲し、前記開閉扉により前記出入口が開放されるに従って伸長するように設けられている請求項１に記載のサウナ装置。
【請求項３】
前記開閉扉と前記扉枠との合わせ部にはそれぞれ互いに整合可能なテーパ面が形成されており、該テーパ面のいずれか一方のテーパ面には密閉部材が設けられている請求項１又は２に記載のサウナ装置。
【請求項４】
前記各作動部材のうちの一方の作動部材は、排気孔を閉鎖するように前記ケーシング本体側に設けられ、他方の作動部材より簡単に抜脱可能なように前記ケーシング本体側との嵌合面は縮径されて傾斜面が形成されている請求項１〜３のいずれか１の請求項に記載のサウナ装置。
【考案の詳細な説明】
【技術分野】
【０００１】
本考案は、内部に１人の人間が横たわることのできる程度の大きさの空間を備えた個人使用可能なサウナ装置に関する。
【背景技術】
【０００２】
一般に、温泉施設や公衆浴場等には、サウナ装置が設けられていることがある。このサウナ装置は、遠赤外線を照射したりすることにより室内の温度を高め、発汗作用により利用者の体の新陳代謝を促進し、健康の増進を図ろうとするものである。
【０００３】
しかしながら、上記した従来のサウナ装置は、装置が大掛かりになるため、建設コストが高くなると共に設置場所が限定されるといった問題があった。そこで、このような問題を解決するため、近年では、個人で使用可能なサウナ装置が各種提案されている。
【０００４】
従来のこの種の個人使用可能なサウナ装置としては、例えば、ベッド状の基台の上に使用者が頭部を出して横たわった状態で、使用者の体に遠赤外線を照射可能なように構成された温熱ベッド型のサウナ装置（特許文献１参照）や、使用者が頭部を外に出して横たわった状態で、使用者の体に遠赤外線を照射可能なように構成されたドーム型のサウナ装置（特許文献２参照）や、使用者の全身を収容可能なようにカプセル状に形成された入浴室と、この入浴室の内部を加熱する加熱部とを備えたカプセル式のサウナ装置（特許文献３参照）などが知られている。
【特許文献１】特開２００１−７０４６３号公報
【特許文献２】特開２００３−２４５３２６号公報
【特許文献３】特開２００６−１５００５７号公報
【考案の開示】
【考案が解決しようとする課題】
【０００５】
しかしながら、上記した従来のサウナ装置では、サウナ装置の内部に使用者が入っている時でも遠赤外線を照射したり、入浴室の内部を加熱したりするように構成されているため、サウナ装置の故障等の原因により内部が異常な高温になった場合には、使用者が火傷をする事故が発生するおそれがあり、安全性上、問題があった。
【０００６】
また、上記した従来のサウナ装置では、外に出た使用者の頭部との間や開閉扉の周囲に隙間が生じ、気密性を高めることが難しく、エネルギー効率や省エネルギー性の向上が図り難いといった問題もあった。
【０００７】
本考案は、上記した課題を解決すべくなされたものであり、安全性を高めることができ、エネルギー効率や省エネルギー性の向上を図ることのできるサウナ装置を提供することを目的とするものである。
【課題を解決するための手段】
【０００８】
上記した目的を達成するため、本考案に係るサウナ装置は、内部に１人の人間が横たわることのできる程度の大きさの空間を備えた横長カプセル状のケーシング本体と、該ケーシング本体の内部を加熱する加熱体と、前記ケーシング本体に開口された出入口を開閉可能なように該ケーシング本体の外側において回動可能な開閉扉と、前記ケーシング本体内に人間が存在する間は前記加熱体の電源をオフ状態に保持するための安全装置とを備え、該安全装置は、前記開閉扉の左右両側の前記ケーシング本体側に抜脱可能に設けられる左右一対の作動部材と、前記開閉扉を横断して前記両作動部材を連結する線状部材と、前記作動部材への当接時に前記加熱体の電源をオン状態に保持すると共に前記作動部材への非当接時に前記加熱体の電源をオフ状態に保持するリミットスイッチとを備え、前記開閉扉の開放時に該開閉扉が前記線状部材に接触することにより前記各作動部材のうちの少なくとも一方の作動部材が前記ケーシング本体側より抜脱し、前記リミットスイッチが前記加熱体の電源をオフ状態に保持することを特徴とする。
【０００９】
また、本考案に係るサウナ装置は、一端が前記開閉扉に設けられると共に他端が前記出入口の周囲の扉枠に設けられる板バネから成る開閉補助部材を備えており、該開閉補助部材は、前記開閉扉により前記出入口が閉鎖された時に屈曲し、前記開閉扉により前記出入口が開放されるに従って伸長するように設けられているのが好ましい。
【００１０】
さらに、本考案に係るサウナ装置において、前記開閉扉と前記扉枠との合わせ部にはそれぞれ互いに整合可能なテーパ面が形成されており、該テーパ面のいずれか一方のテーパ面には密閉部材が設けられているのが好ましい。
【００１１】
さらにまた、本考案に係るサウナ装置において、前記各作動部材のうちの一方の作動部材は、排気孔を閉鎖するように前記ケーシング本体側に設けられ、他方の作動部材より簡単に抜脱可能なように前記ケーシング本体側との嵌合面は縮径されて傾斜面が形成されているのが好ましい。
【考案の効果】
【００１２】
本考案によれば、安全性を高めることができ、エネルギー効率や省エネルギー性の向上を図ることができる等、種々の優れた効果を得ることができる。
【考案を実施するための最良の形態】
【００１３】
以下、図面を参照しつつ、本考案の実施の形態について説明する。ここで、図１は本考案の実施の形態に係るサウナ装置を示す正面図、図２は同サウナ装置を示す平面図、図３は同サウナ装置を示す背面図、図４は同サウナ装置を示す右側面図、図５は同サウナ装置を示す左側面図、図６は同サウナ装置の給気口を示す断面図、図７（ａ）は同サウナ装置において開閉扉を閉鎖した状態を示す断面図、図７（ｂ）は同サウナ装置において開閉扉を開放した状態を示す断面図、図８は同サウナ装置の開閉扉と扉枠の断面図、図９（ａ）は同サウナ装置において加熱体の電源がオン状態の時の安全装置を示す断面図、図９（ｂ）は同サウナ装置において加熱体の電源がオフ状態の時の安全装置を示す断面図である。
【００１４】
本実施の形態に係るサウナ装置１０は、カプセル状のケーシング本体１１と、ケーシング本体１１の内部を加熱する加熱体１２と、ケーシング本体１１に開口された出入口１３を開閉可能なようにケーシング本体１１の外側において回動可能な開閉扉１４と、ケーシング本体１１内に人間が存在する間は加熱体１２の電源をオフ状態に保持するための安全装置１５とを備えて構成されている。
【００１５】
ケーシング本体１１は、横長略円筒形状を成し、左右両側面は凸状に湾曲しており、一方側（正面視で右側）に頭部を向けた状態で１人の人間が内部の床面１６上に横たわることのできる程度の大きさの空間を備えている。また、ケーシング本体１１は、金網の両面に硬質発泡ウレタンを吹き付けた構造を主体とし、内面及び外面は塗装されている。ケーシング本体１１の上面１７及び下面１８は平坦に形成され、床面１６上に横たわった使用者の頭部側（正面視で右側）の上面１７には、排気孔１９（例えば５０ｍｍ程度の内径）が１箇所穿設され（図９（ａ）、（ｂ）参照）、下面１８には脚部２０が３箇所に設けられている。
【００１６】
また、床面１６上に横たわった使用者の足元側のケーシング本体１１の側面２１（正面視で左側面）には、下部の対称位置に給気設備２２が２箇所設けられている。図６に示されているように、各給気設備２２は、それぞれ、ケーシング本体１１の側面２１を外側から斜め上方に向かって貫通するように設けられる給気孔２３（例えば２５ｍｍ程度の内径）と、給気孔２３の周囲に設けられる電熱線２４と、給気孔２３及び電熱線２４を覆うように内外に設けられる防護カバー２５とを備えて構成されており、電熱線２４は、給気孔２３の内側表面温度が所定温度（例えば６０℃程度）に保持されるように制御される。
【００１７】
さらに、床面１６上に横たわった使用者の足元側のケーシング本体１１の正面２６には、香り注入孔２７が穿設されている。
【００１８】
加熱体１２は、床面１６に設けられる電気ヒータから成る第１の加熱体（図示省略）と、ケーシング本体１１の内部において床面１６上に横たわった使用者の足元側の上方に取り付けられる第２の加熱体２８とから構成されており、第２の加熱体２８はプレート状の蓄熱材と電熱材とを交互に積層させて構成されている(図示省略)。
【００１９】
開閉扉１４は、ケーシング本体１１の中央よりやや一方側（正面視で右側）の正面２６から上面１７及び背面２９に掛けて形成されており、背面２９に水平に取り付けられた蝶番３０を支点に前後に回動可能となっている。開閉扉１４の上面３１の左右側縁部にはそれぞれ支持部３２が立設され、両支持部３２に軸部３３が渡設されている。そして、この軸部３３の左右両端部には板バネから成る開閉補助部材３４の一端がそれぞれ枢設されており、開閉補助部材３４の他端はケーシング本体１１の上面１７において出入口１３の周囲の扉枠３５に固定されている。これにより、開閉補助部材３４は、図７（ａ）に示されているように開閉扉１４により出入口１３が閉鎖された時に屈曲し、図７（ｂ）に示されているように開閉扉１４により出入口１３が開放されるに従って伸長するように設けられている。
【００２０】
また、図８に示されているように、開閉扉１４と扉枠３５との合わせ部にはそれぞれ互いに整合可能なテーパ面３６，３７が形成されており、開閉扉１４側のテーパ面３６には密閉部材であるＯリング３８が設けられている。これにより、開閉扉１４の開閉時に、開閉扉１４と扉枠３５との接触時間が短くなるため、両者間の摩擦を低減でき、開放時の安全性を高めることができる。また、開閉扉１４の閉鎖時の扉枠３５との接触面が大きくなるため、気密性を高めることができる。
【００２１】
さらに、開閉扉１４の上面３１には、耐熱ガラス製の窓４０が設けられ、開閉扉１４の正面下部には、内側及び外側にそれぞれ把手４１が設けられている。
【００２２】
安全装置１５は、ケーシング本体１１の上面１７において開閉扉１４の左右両側に設けられる左右一対の作動部材４２，４３と、開閉扉１４を横断して両作動部材４２，４３を連結する線状部材４４と、作動部材４２，４３にアクチュエータ４５，４６がそれぞれ当接可能なように前記ケーシング本体１１の上面１７に設けられる左右一対のリミットスイッチ４７，４８とを備えて構成されている。
【００２３】
床面１６上に横たわった使用者の足元側（正面視で左側）の作動部材４２は、中実のピン状を成し、ケーシング本体１１の上面１７に固定された台座４９に抜脱可能に取り付けられている。また、この作動部材４２には隣接するようにコントローラ５０が設けられている。一方、床面１６上に横たわった使用者の頭部側（正面視で右側）の作動部材４３は、中実のピン状を成し、ケーシング本体１１の上面１７に固定された台座５１に排気孔１９を閉鎖するように取り付けられている。また、この作動部材４３の下端部の台座部５１との嵌合面は縮径されて傾斜面５２が形成されており、この傾斜面５２により作動部材４３は他方の作動部材４２より簡単に抜脱可能となっている。
【００２４】
次に、上記した構成を備えた本実施の形態に係るサウナ装置１０の作用について説明する。
【００２５】
先ず、開閉扉１４を閉塞させ、作動部材４２，４３を所定の位置にセットした状態で、コントローラ５０によりケーシング本体１１の内部の温度設定を行い、加熱部１２の電源をオンにすると、両方のリミットスイッチ４４，４５のアクチュエータ４２，４３がそれぞれ作動部材４０，４１に当接するため、リミットスイッチ４４，４５により加熱体１２の電源の電気回路は閉じられ、加熱体１２への電源はオン状態に保持される。
【００２６】
その後、ケーシング本体１１の内部が所定の設定温度に加熱されたところで開閉扉１４を開放すると、開閉扉１４が線状部材４４に接触することにより作動部材４２，４３のうちの少なくとも一方側（正面視で右側）の作動部材４３又は両方の作動部材４２，４３がケーシング本体１１の台座４９，５１より抜脱する。これにより、いずれか一方のリミットスイッチ４４，４５又は両方にリミットスイッチ４４，４５のアクチュエータ４５，４６と作動部材４２，４３との当接状態が解除され、リミットスイッチ４４，４５により加熱体１２の電源の電気回路は開放され、加熱体１２への電源はオフ状態となり、以降、その状態は保持される。
【００２７】
なお、開閉扉１４がケーシング本体１１の中央よりやや一方側（正面視で右側）に形成されていると共に、一方側の作動部材４３が傾斜面５２により台座５１から簡単に抜脱可能となっているため、開閉扉１４の開放時に少なくとも一方側の作動部材４３は確実に台座５１から抜脱し、排気孔１９が開放された状態となる。また、開閉扉１４の開放動作は開閉補助部材３４により補助されるため、小さな力でこの開閉動作を円滑に行うことができる。さらに、図７（ｂ）によく示されているように、この開閉補助部材３４により開閉扉１４の開放姿勢が保持されるため、使用者に意思に反して開閉扉１４が急に閉鎖されたり、過度に開放されたりすることを防止することもできる。
【００２８】
このように開閉扉１４が開放された状態で、使用者は出入口１３からケーシング本体１１の内部に入った後、開放扉１４を閉塞し、床面１６上に横たわる。そして、使用者は、加熱体１２に蓄えられた熱により所望な温度に加熱され、発汗作用により体の新陳代謝が促進される。そして、この時、サウナ装置１０には下部に給気設備２２が設けられていると共に上部の排気孔１９が開放されているため、ケーシング本体１１の外部の新鮮空気は電熱線２４により所望の温度に加熱されながら給気孔２３から内部に自然に導入される。したがって、ケーシング本体１１の内部を常に良好な環境に保持することができる。また、この時、開閉扉１４の開放動作時と同様に開閉補助部材３４によって開閉扉１４の閉鎖動作が補助されるため、小さな力でこの動作を円滑に行うことができると共に、開閉扉１４が勢いよく閉鎖されるのを防止することができ、安全性の向上を図ることができる。
【００２９】
このように上記した本発明の実施の形態に係るサウナ装置１０によれば、開閉扉１４の開放時に作動部材４２，４３のいずれか一方又は両方の作動部材４２，４３が抜脱されるため、再度、使用者が左右両方の作動部材４２，４３を所定位置にセットしない限り、加熱体１２の電源を投入することができない。したがって、ケーシング本体１１の内部に使用者が入っている間は加熱体１２を確実にオフ状態に保持することができるため、コントローラ５０や加熱体１２の故障等の原因により内部が異常な高温になったりして、内部の使用者が火傷をしたりする事故の発生を確実に防止することができ、安全性及び信頼性の向上を図ることができる。
【００３０】
また、開閉扉１４と扉枠３５との合わせ部にはそれぞれ互いに整合可能なテーパ面３６，３７が形成されているため、開閉扉１４の開閉動作を円滑且つ確実に行うことができる。さらに、開閉扉１４と扉枠３５との合わせ部は密閉部材により確実に密閉され、気密性を高めることができるため、エネルギー効率や省エネルギー性の向上を図ることもできる。
【図面の簡単な説明】
【００３１】
【図１】本考案の実施の形態に係るサウナ装置を示す正面図である。
【図２】本考案の実施の形態に係るサウナ装置を示す平面図である。
【図３】本考案の実施の形態に係るサウナ装置を示す背面図である。
【図４】本考案の実施の形態に係るサウナ装置を示す右側面図である。
【図５】本考案の実施の形態に係るサウナ装置を示す左側面図である。
【図６】本考案の実施の形態に係るサウナ装置の給気口を示す断面図である。
【図７】（ａ）は本考案の実施の形態に係るサウナ装置において開閉扉を閉鎖した状態を示す断面図、（ｂ）は同サウナ装置において開閉扉を開放した状態を示す断面図である。
【図８】本考案の実施の形態に係るサウナ装置の開閉扉と扉枠の断面図である。
【図９】（ａ）は本考案の実施の形態に係るサウナ装置において加熱体の電源がオン状態の時の安全装置を示す断面図、（ｂ）は同サウナ装置において加熱体の電源がオフ状態の時の安全装置を示す断面図である。
【符号の説明】
【００３２】
１０          サウナ装置
１１          ケーシング本体
１２          加熱体
１３          出入口
１４          開閉扉
１５          安全装置
１９          排気孔
３４          開閉補助部材
３５          扉枠
３６，３７    テーパ面
３８          密閉部材
４２，４３    作動部材
４４          線状部材
４７，４８    リミットスイッチ
５２          傾斜面
【図１】
0003144273.tif 000003
【図２】
0003144273.tif 000004
【図３】
0003144273.tif 000005
【図４】
0003144273.tif 000006
【図５】
0003144273.tif 000007
【図６】
0003144273.tif 000008
【図７】
0003144273.tif 000009
【図８】
0003144273.tif 000010
【図９】
0003144273.tif 000011